(57)【要約】  【課題】ＰＬＣ対応インテリジェントコンセントを利用したシステムにおいて、情報端末装置の位置を自動で確認し、ネットワーク障害に迅速に対応できるようにする。  【解決手段】複数のＰＬＣルータコンセントと、監視サーバと、インターネット接続用ＰＬＣルータコンセントモデムとが電力線に接続されたシステムにおいて、各ＰＬＣルータコンセントがＤＨＣＰサーバ手段を具え、前記ＰＬＣルータコンセント毎に独立したサブネットワークを構成および管理する。前記監視サーバは、前記電力線のネットワークトラフィックを監視して異常が発生したＰＬＣ情報端末を検出する手段と、当該異常が発生したＰＬＣ情報端末が接続しているＰＬＣルータコンセントに切断信号を送信する手段とを具えるとともに、前記ＰＬＣルータコンセントが前記通信信号を制御する接続スイッチを備え、前記監視サーバから切断信号を受信した場合に前記接続スイッチを遮断する。【選択図】図１
2008227561.tif 000002
【特許請求の範囲】
【請求項１】
複数のＰＬＣルータコンセントと、監視サーバと、インターネット接続用ＰＬＣルータコンセントモデムとが電力線に接続されており、各ＰＬＣルータコンセントに接続される装置が発信する情報を監視して、前記電力線により形成されるネットワークの制御および利用者への通知を行うシステムにおいて、
前記各ＰＬＣルータコンセントが、サブネットワーク内で配布可能なＩＰアドレスを管理するＤＨＣＰサーバ手段を具え、前記ＰＬＣルータコンセント毎に独立したサブネットワークを構成および管理することを特徴とするシステム。
【請求項２】
請求項１に記載のシステムにおいて、
前記監視サーバが、前記電力線のネットワークトラフィックを監視して前記ＰＬＣルータコンセントに接続されたＰＬＣ情報端末の異常を検出する手段と、当該異常が発生したＰＬＣ情報端末が接続しているＰＬＣルータコンセントに切断信号を送信する手段とを具えるとともに、
前記ＰＬＣルータコンセントが、通信信号を電流と分離する電力線接続用ＰＬＣモデムと、前記監視サーバから送信される制御信号に応じて分離された前記通信信号を制御する接続スイッチと、前記ＰＬＣモデムにより分離された通信信号と電流とを重ね合わせ、前記ＰＬＣルータコンセントに接続される装置と通信するサブネット用ＰＬＣルータとを備え、前記監視サーバから切断信号を受信した場合に前記接続スイッチを遮断することを特徴とするシステム。
【請求項３】
請求項２に記載のシステムにおいて、前記監視サーバがさらに、前記ＰＬＣルータコンセントに接続するＰＬＣ情報端末の利用者のメールアドレスが登録された利用者特定情報データベースを格納した記憶領域と、前記異常が発生したＰＬＣ情報端末の利用者のメールアドレスに異常発生を通知する手段とを具えることを特徴とするシステム。
【請求項４】
請求項１乃至３のいずれか１項に記載のシステムがさらに、前記ＰＬＣルータコンセントに接続される１以上のＰＬＣ人感センサを具えるとともに、前記監視サーバが、各ＰＬＣ人感センサによる検出の順序および／またはその間隔に関する所定の条件が登録された記憶領域を具え、各ＰＬＣ人感センサによる検出の順序および／またはその間隔が前記条件を外れる場合に非常事態発生と判断し、予め設定された非常事態通報処理を実行することを特徴とするシステム。
【請求項５】
請求項４に記載のシステムにおいて、前記監視サーバが、前記各ＰＬＣ人感センサによる検出の位置や日時が記録される検知情報ログを蓄積する記憶領域と、定期的に前記ログを参照して、所定の期間内に１以上の前記ＰＬＣ人感センサが特定の順番で所定回数検出されている場合にその情報を日常行動として把握し新規の条件として記録する条件取得手段とを具えることを特徴とするシステム。
【請求項６】
複数のＰＬＣルータコンセントと、監視サーバと、インターネット接続用ＰＬＣルータコンセントモデムとが電力線に接続されており、各ＰＬＣルータコンセントに接続される装置が発信する情報を監視して、前記電力線により形成されるネットワークの制御および利用者への通知を行う方法において、
前記各ＰＬＣルータコンセントが、サブネットワーク内で配布可能なＩＰアドレスを管理するＤＨＣＰサーバ手段を具え、前記ＰＬＣルータコンセント毎に独立したサブネットワークを構成および管理することを特徴とする方法。
【請求項７】
請求項６に記載の方法において、
前記監視サーバが、前記電力線のネットワークトラフィックを監視して異常が発生したＰＬＣ情報端末を検出し、当該異常が発生したＰＬＣ情報端末が接続しているＰＬＣルータコンセントに切断信号を送信するとともに、
前記ＰＬＣルータコンセントが、通信信号を電流と分離する電力線接続用ＰＬＣモデムと、前記監視サーバから送信される制御信号に応じて分離された前記通信信号を制御する接続スイッチと、前記ＰＬＣモデムにより分離された通信信号と電流とを重ね合わせ、前記ＰＬＣルータコンセントに接続される装置と通信するサブネット用ＰＬＣルータとを備え、前記監視サーバから切断信号を受信した場合に前記接続スイッチを遮断することを特徴とする方法。
【請求項８】
請求項７に記載の方法において、前記監視サーバがさらに、前記ＰＬＣルータコンセントに接続するＰＬＣ情報端末の利用者のメールアドレスが登録された利用者特定情報データベースを格納した記憶領域を具えるとともに、前記異常が発生したＰＬＣ情報端末の利用者のメールアドレスに異常発生を通知することを特徴とする方法。
【請求項９】
請求項６乃至８のいずれか１項に記載の方法がさらに、前記ＰＬＣルータコンセントに接続される１以上のＰＬＣ人感センサを具えるとともに、前記監視サーバが、各ＰＬＣ人感センサによる検出の順序および／またはその間隔に関する所定の条件が登録された記憶領域を具え、各ＰＬＣ人感センサによる検出の順序および／またはその間隔が前記条件を外れる場合に非常事態発生と判断し、予め設定された非常事態通報処理を実行することを特徴とする方法。
【請求項１０】
請求項９に記載の方法において、前記監視サーバが、前記各ＰＬＣ人感センサによる検出の位置や日時が記録される検知情報ログを蓄積し、定期的に前記ログを参照して、所定の期間内に１以上の前記ＰＬＣ人感センサが特定の順番で所定回数検出されている場合にその情報を日常行動として抽出し記憶領域に記録することを特徴とする方法。
【発明の詳細な説明】
【技術分野】
【０００１】
本発明は、高速電力線通信（ＰＬＣ）を活用したインテリジェントコンセントに関し、特に、ＰＬＣネットワークに接続される装置が発信する情報を収集および解析してネットワークの制御や管理情報の送信を行うシステムおよび方法に関する。
【背景技術】
【０００２】
２００６年１０月に総務省が、高速電力線通信の国内利用を屋内に限り認めるよう省令を改正したことにより、ＰＬＣの屋内における本格利用が開始され、一旦設置されればほとんど変更されることのないコンセントの位置情報を活用する技術が期待されている。
【０００３】
現在、建物内のネットワークに接続される装置の位置を特定する方法として、ネットワークに接続される装置に予めＩＰアドレスを割り当て、このＩＰアドレスと装置の物理的な位置情報とを人為的に記録する方法がある。
【０００４】
しかしながら、この人為的な方法では、フロア移動等により装置を移動する度に、ＩＰアドレスの付け替えや記録された装置の物理的な位置情報を修正する必要あり、管理工数が掛かってしまう。また、ネットワークに接続される装置に自動でＩＰアドレスを割り付ける場合も、各装置がネットワークのどこに存在するのか把握するには装置に割り付けられたＩＰアドレスを人為的に確認する必要があり、時間が掛かってしまう。さらに、ハブ等のネットワークスイッチ毎に装置の位置を把握する場合も、同様に人為的に物理的な位置情報を確認する必要がある。このため、ネットワークに接続された情報端末およびセンサの位置情報を効果的に利用するサービスを実現は困難であった。
【０００５】
また、ネットワークに接続された端末装置がコンピュータウィルスに感染して大量のパケットを吐き出す現象（パケット洪水）が発生した場合、ネットワークトラフィックが圧迫され、他の端末装置が通信不能となる問題がある。このため、ウィルスに感染した端末装置を速やかにネットワークから切り離す必要があるが、人為的な方法では迅速に対応できず、復旧に時間が掛かってしまう。
【０００６】
一方、通信機能付コンセントと、移動体に装着される無線センサとを通信させて、移動体の位置情報等を取得する位置情報特定システムが提案されている（特許文献１）。また、コンセントに無線通信機器を接続し、移動体に装着される無線タグと前記通信機器とを通信させることにより移動体の位置情報を確認するシステムが提案されている（特許文献２）。
【特許文献１】特開２００６−２４５９８３号公報
【特許文献２】特開２００６−３１１２７５号公報
【発明の開示】
【発明が解決しようとする課題】
【０００７】
しかしながら、これらのシステムでは、移動体に前記コンセントと無線通信可能な無線センサ等を装着しなければならず、また、無線センサ等に恒常的な電力の供給しなければならない。また、このようなシステムを高齢者の見守りシステムに応用した場合、遠隔地の利用者が常に監視しなければならず、監視を中断している間に非常事態が起こったとき、迅速に対応できないおそれがある。さらに、このようなシステムでは、センサの位置を特定するのみで、センサから送られてくる情報を基に、人間が逐一高齢者の行動を判断しなければならない。
【０００８】
本発明の目的の一つは、ＰＬＣ対応インテリジェントコンセントを利用したシステムにおいて、情報端末装置の位置を自動で確認し、ネットワークに障害が発生したときに迅速に対応することである。また、本発明の別の目的は、本システムを高齢者の見守りシステムに応用することにより、不測の事態に迅速に対応できるようにすることである。
【課題を解決するための手段】
【０００９】
本発明は、複数のＰＬＣルータコンセントと、監視サーバと、インターネット接続用ＰＬＣルータコンセントモデムとが電力線に接続されており、各ＰＬＣルータコンセントに接続される装置が発信する情報を監視して、前記電力線により形成されるネットワークの制御および利用者への通知を行うシステムにおいて、
前記各ＰＬＣルータコンセントが、サブネットワーク内で配布可能なＩＰアドレスを管理するＤＨＣＰサーバ手段を具え、前記ＰＬＣルータコンセント毎に独立したサブネットワークを構成および管理することを特徴とする。
【００１０】
また、前記監視サーバが、前記電力線のネットワークトラフィックを監視して前記ＰＬＣルータコンセントに接続されたＰＬＣ情報端末の異常を検出する手段と、当該異常が発生したＰＬＣ情報端末が接続しているＰＬＣルータコンセントに切断信号を送信する手段とを具えるとともに、
前記ＰＬＣルータコンセントが、通信信号を電流と分離する電力線接続用ＰＬＣモデムと、前記監視サーバから送信される制御信号に応じて分離された前記通信信号を制御する接続スイッチと、前記ＰＬＣモデムにより分離された通信信号と電流とを重ね合わせ、前記ＰＬＣルータコンセントに接続される装置と通信するサブネット用ＰＬＣルータとを備え、前記監視サーバから切断信号を受信した場合に前記接続スイッチを遮断することが望ましい。
【００１１】
また、前記監視サーバがさらに、前記ＰＬＣルータコンセントに接続するＰＬＣ情報端末の利用者のメールアドレスが登録された利用者特定情報データベースを格納した記憶領域と、前記異常が発生したＰＬＣ情報端末の利用者のメールアドレスに異常発生を通知する手段とを具えることが望ましい。
【００１２】
また、前記ＰＬＣルータコンセントに接続される１以上のＰＬＣ人感センサを具えるとともに、前記監視サーバが、各ＰＬＣ人感センサによる検出の順序および／またはその間隔に関する所定の条件が登録された記憶領域を具え、各ＰＬＣ人感センサによる検出の順序および／またはその間隔が前記条件を外れる場合に非常事態発生と判断し、予め設定された非常事態通報処理を実行することが望ましい。
【００１３】
また、前記監視サーバが、前記各ＰＬＣ人感センサによる検出の位置や日時が記録される検知情報ログを蓄積する記憶領域と、定期的に前記ログを参照して、所定の期間内に１以上の前記ＰＬＣ人感センサが特定の順番で所定回数検出されている場合にその情報を日常行動として把握し新規の条件として記録する条件取得手段とを具えることが望ましい。
【００１４】
また本発明は、少なくとも複数のＰＬＣルータコンセントと、監視サーバと、インターネット接続用ＰＬＣルータコンセントモデムとが電力線に接続されており、各ＰＬＣルータコンセントに接続される装置が発信する情報を監視して、前記電力線により形成されるネットワークの制御および利用者への通知を行う方法において、
前記各ＰＬＣルータコンセントが、サブネットワーク内で配布可能なＩＰアドレスを管理するＤＨＣＰサーバ手段を具え、前記ＰＬＣルータコンセント毎に独立したサブネットワークを構成および管理することを特徴とする。
【００１５】
また、前記監視サーバが、前記電力線のネットワークトラフィックを監視して異常が発生したＰＬＣ情報端末を検出し、当該異常が発生したＰＬＣ情報端末が接続しているＰＬＣルータコンセントに切断信号を送信するとともに、
前記ＰＬＣルータコンセントが、通信信号を電流と分離する電力線接続用ＰＬＣモデムと、前記監視サーバから送信される制御信号に応じて分離された前記通信信号を制御する接続スイッチと、前記ＰＬＣモデムにより分離された通信信号と電流とを重ね合わせ、前記ＰＬＣルータコンセントに接続される装置と通信するサブネット用ＰＬＣルータとを備え、前記監視サーバから切断信号を受信した場合に前記接続スイッチを遮断することが望ましい。
【００１６】
また、前記監視サーバがさらに、前記ＰＬＣルータコンセントに接続するＰＬＣ情報端末の利用者のメールアドレスが登録された利用者特定情報データベースを格納した記憶領域を具えるとともに、前記異常が発生したＰＬＣ情報端末の利用者のメールアドレスに異常発生を通知することが望ましい。
【００１７】
また、前記ＰＬＣルータコンセントに接続されるＰＬＣ人感センサを具えるとともに、前記監視サーバが、各ＰＬＣ人感センサによる検出の順序および／またはその間隔に関する所定の条件が登録された記憶領域を具え、各ＰＬＣ人感センサによる検出の順序および／またはその間隔が前記条件を外れる場合に非常事態発生と判断し、予め設定された非常事態通報処理を実行することが望ましい。
【００１８】
また、前記監視サーバが、前記各ＰＬＣ人感センサによる検出の位置や日時が記録される検知情報ログを蓄積し、定期的に前記ログを参照して、所定の期間内に１以上の前記ＰＬＣ人感センサが特定の順番で所定回数検出されている場合にその情報を日常行動として抽出し記憶領域に記録することが望ましい。
【発明の効果】
【００１９】
本発明のＰＬＣ対応インテリジェントコンセントシステムでは、各ＰＬＣルータコンセントが、コンセント毎にサブネットワークを構成および管理するため、一旦設置されればほとんど移動や追加されないコンセント単位で情報端末の位置を把握することができる。また、情報端末装置やセンサ等をＰＬＣルータコンセントが自動的に配布するＩＰアドレスにより管理するため、これらの装置を移動しても人為的にＩＰアドレスの変更をする必要が無い。また、これらのＩＰアドレスと物理的位置とを関連付けることにより、監視サーバで自動で位置を管理でき、手作業で情報を管理する必要がなくなる。
【００２０】
本発明のＰＬＣ対応インテリジェントコンセントシステムでは、監視サーバが、ＰＬＣルータコンセントに接続されたＰＬＣ情報端末の異常を検出して当該ＰＬＣルータコンセントに切断信号を送信して接続スイッチを遮断するため、異常が発生したＰＬＣ情報端末をネットワークから速やかに切り離すことができ、被害を最小限にし、迅速な復旧が可能となる。
【００２１】
本発明のＰＬＣ対応インテリジェントコンセントシステムでは、監視サーバが、異常が発生したＰＬＣ情報端末の利用者のメールアドレスに異常発生を通知する手段を具えるため、異常が発生したＰＬＣ情報端末の利用者に通知することができ、迅速に対応させることができる。
【００２２】
本発明のＰＬＣ対応インテリジェントコンセントシステムでは、ＰＬＣ人感センサが具えられるとともに、監視サーバがＰＬＣ人感センサによる検出を条件管理することにより、例えば被監視者が日常生活と異なる行動をとった場合に、迅速に対応することができる。
【００２３】
本発明のＰＬＣ対応インテリジェントコンセントシステムでは、監視サーバが、所定の期間内にＰＬＣ人感センサが特定の順番で所定の回数検出されている場合に、その情報を日常行動として把握し、新規の条件として取得することにより、被監視者の現実の行動に即した危機管理を行うことができる。
【発明を実施するための最良の形態】
【００２４】
以下、本発明を実施するための最良の形態について、添付の図面を参照しながら詳細に説明する。
【実施例１】
【００２５】
図１は、本発明にかかるＰＬＣ対応インテリジェントコンセントを使用したシステムの全体構成を示す概略図である。本図に示すＰＬＣ対応インテリジェントコンセントシステムの実施例は、複数のＰＬＣルータコンセント１０と、監視サーバ２０と、インターネット接続用ＰＬＣモデム３０とが建物内に張り巡らされた電力線１００を介して相互に接続されている。これらはまた、インターネット接続用ＰＬＣモデム３０を介して、インターネットに接続されている。また、ＰＬＣ情報端末４０が、ＰＬＣルータコンセント１０に接続されている。
【００２６】
ＰＬＣルータコンセント１０は、コンセントボックスの形状に合わせて設計され、建物内に設置される。図２に、ＰＬＣルータコンセント１０の機能概念を示す。本図に示すように、ＰＬＣルータコンセント１０は、電力線接続用ＰＬＣモデム１０１と、接続スイッチ１０２と、ＤＨＣＰサーバ１０４を備えるサブネット用ＰＬＣルータ１０３とを具えている。
【００２７】
電力線接続用ＰＬＣモデム１０１は、電力線１００を介して他のＰＬＣルータコンセント、インターネット接続用ＰＬＣモデム３０、および監視サーバ２０と通信するとともに、通信信号を電流と分離する手段である。接続スイッチ１０２は、監視サーバ２０から送信される制御信号により、分離された通信信号を制御する手段である。
【００２８】
サブネット用ＰＬＣルータ１０３は、電力線接続用ＰＬＣモデム１０１により分離された通信信号と電流を重ね合わせ、ＰＬＣ情報端末４０と通信する手段である。サブネット用ＰＬＣルータ１０３は、ＰＬＣルータコンセント毎に独立したサブネットワークを構成および管理する手段である。
【００２９】
サブネット用ＰＬＣルータ１０３はまた、ＤＨＣＰサーバ１０４を内蔵する。ＤＨＣＰサーバ１０４は、サブネットワーク内で配布可能なＩＰアドレスを管理する手段である。ＤＨＣＰサーバ１０４は、ＰＬＣ情報端末４０が接続されたことをサブネット用ＰＬＣルータ１０３が検知したとき、各装置にＩＰアドレスを割り当てる。ＤＨＣＰサーバ１０４はまた、これらの装置が取り外されたことをサブネット用ＰＬＣルータ１０３が検知したとき、割り当てたＩＰアドレスを回収し、再配布可能なＩＰアドレスとして管理する。
【００３０】
サブネット用ＰＬＣルータ１０３はまた、他のＰＬＣルータコンセント、当該ＰＬＣルータコンセントに接続されている他のＰＬＣ情報端末、インターネット接続用ＰＬＣモデム３０、および監視サーバ２０と、ＰＬＣルータコンセント１０に接続されているＰＬＣ情報端末４０とを通信させるルーティングテーブルを構築および管理して、これらの装置間の通信を提供する。
【００３１】
監視サーバ２０は、ＰＬＣ情報端末の通信データを記録するとともに、電力線１００内のネットワークトラフィックの監視を行う監視サーバである。図３は、この監視サーバ２０の概略構成を示す図である。図３に示すように、監視サーバ２０は、トラフィック監視部２０１と、制御部２０２と、メール送信部２０３と、利用者特定情報データベース２０４と、通信データログ２０５とを具えている。
【００３２】
トラフィック監視部２０１は、ネットワークトラフィックを監視するとともに、ネットワーク上の通信データを通信データログ２０５に保存するプログラムモジュールである。制御部２０２は、監視サーバ２０全体の動作を制御する手段であり、以降に詳細に説明する動作を実現するプログラム（図示せず）で動作する。メール送信部２０３は、ウィルスに感染した情報端末の利用者に電子メールやメッセージ等によりエラーを通知するプログラムモジュールである。利用者特定情報データベース２０４は、ＰＬＣ情報端末の利用者の特定情報を管理するデータベースであり、監視サーバ２０内の固定ディスク（ＨＤＤ）などに格納されている。このデータベース２０４には、事前に管理者によりＰＬＣ情報端末ごとに、少なくともＭＡＣアドレスといった機器特定情報と、ＰＬＣ情報端末の利用者のメールアドレスなどの利用者特定情報が登録される。通信データログ２０５は、ＰＬＣ情報端末が通信する情報を記録するログであり、監視サーバ２０内の固定ディスク（ＨＤＤ）などに格納されている。通信データログ２０５は、ＰＬＣ情報端末ごとに、ＰＬＣ情報端末の通信データ、ＰＬＣ情報端末のＩＰアドレス、および時刻情報等が保存される。
【００３３】
インターネット接続用ＰＬＣモデム３０は、ＦＴＴＨ／ＡＤＳＬ通信その他の通信方法により、本実施例により構成されるネットワークをモデムまたはルータを介してインターネットと接続する手段である。
【００３４】
次に、図４を参照しながら、パケット洪水が発生した場合の本実施例にかかるシステムの動作を説明する。前提として、いずれかのＰＬＣルータコンセント１０にＰＬＣ情報端末が接続されると、ＤＨＣＰサーバ１０４が例えばＭＡＣアドレスといった機器特定情報を取得するとともに、ＩＰアドレスを付与し、これらの情報を監視サーバ２０に通知する。監視サーバ２０は、機器特定情報から利用者情報を特定しＩＰアドレスとともに管理する。パケット洪水が発生し、大量のパケットがネットワーク帯域を占領した場合、監視サーバ２０は、トラフィック監視部２０１によりパケット洪水を検知する。監視サーバ２０は、通信データログ２０５に保存された情報を参照して、大量にパケット送信しているＰＬＣ情報端末のＩＰアドレスを特定し（ステップＡ１）、このＩＰアドレスから利用者特定情報データベース２０４を参照してＰＬＣ情報端末の利用者を特定し、メール送信部２０３から利用者の端末にメールによりエラーを通知する（ステップＡ２）。この場合、利用者情報として携帯電話機のメールアドレスを登録しておき、外部インターネットを介してメールを送信するようにしてもよい。この後、監視サーバ２０は、前記ＰＬＣ情報端末が接続されているＰＬＣルータコンセント１０をＩＰアドレスにより特定し、当該ＰＬＣルータコンセント１０に切断信号を送信する（ステップＡ３）。切断信号を受信したＰＬＣルータコンセント１０は、接続スイッチ１０２をＯＦＦにし、信号路を切断する（ステップＡ４）。これにより、パケット洪水を起しているＰＬＣ情報端末をネットワークから自動で切り離すことができる。
【００３５】
なお、本実施例のＰＬＣルータコンセントには、一の接続スイッチ１０２が具えられているが、ＰＬＣルータコンセントの差込口毎に独立した接続スイッチを具えてよい。
【００３６】
また、本発明の実施例では、ネットワークの異常としてパケット洪水を想定しているが、他のネットワークの問題、例えば、ウィルスメールの送信等であってもよい。
【実施例２】
【００３７】
本発明にかかるシステムは、独り暮らしの高齢者の生活見守りに応用することができる。当該システムは、前記ＰＬＣルータコンセントに接続されるＰＬＣ人感センサ５０を具えるとともに、監視サーバ２０’が、各ＰＬＣ人感センサによる検出の順序および／またはその間隔に関する所定の条件が登録された記憶領域を具え、各ＰＬＣ人感センサによる検出の順序および／またはその間隔が前記条件を外れる場合に非常事態発生と判断し、予め設定された非常事態通報処理を実行することを特徴とする。
【００３８】
また、前記監視サーバ２０’は、前記各ＰＬＣ人感センサによる検出の位置や日時が記録される検知情報ログを蓄積する記憶領域と、定期的に前記ログを参照して、所定の期間内に１以上の前記ＰＬＣ人感センサが特定の順番で所定回数検出されている場合にその情報を日常行動として把握し新規の条件として記録する条件取得手段とを具えることを特徴とする。
【００３９】
以降、本実施例を図５を参照しながら詳しく説明する。図５は、本発明にかかるシステムを独り暮らしの高齢者の生活見守りに応用した例である。本図に示すように、ＰＬＣ対応人感センサ５０、監視サーバ２０’、およびインターネット接続用ＰＬＣモデム３０’それぞれが、ＰＬＣルータコンセント（図示せず）を介して電力線１００に接続されている。これらの機器はまた、インターネット接続用ＰＬＣモデム３０’を介してインターネットに接続される。
【００４０】
ＰＬＣ対応人感センサ５０は、例えば、玄関監視用ＰＬＣ対応人感センサ５０１と移動監視用ＰＬＣ対応人感センサ５０２とがあり、玄関付近または建物内の適切な位置に配置されている。ＰＬＣ対応人感センサ５０は、赤外線または超音波等により人の動きを検知して、ＰＬＣルータコンセントに検知信号を送信する。ＰＬＣ対応人感センサ５０はまた、接続しているＰＬＣルータコンセントのＤＨＣＰサーバ機能（図示せず）により、固有のＩＰアドレスが割り振られる。
【００４１】
監視サーバ２０’は、電力線経由で各ＰＬＣ対応人感センサ情報およびＰＬＣルータコンセント情報を受信し解析すると共に、非常時にはインターネット経由で利用者端末に情報を送信する監視サーバである。図６は、この監視サーバ２０’の概略構成を示す図である。図６に示すように、監視サーバ２０’は、情報受信部２０１’と、制御部２０２’と、メール送信部２０３’と、人感センサ管理データベース２０４’と、利用者データベース２０５’と、検知情報ログ２０６’とを具えている。
【００４２】
情報受信部２０１’は電力線に接続しており、ＰＬＣ対応人感センサ情報およびＰＬＣルータコンセント情報を受信する手段である。このＰＬＣ対応人感センサ情報およびＰＬＣルータコンセント情報には、少なくとも、検知信号、接続信号、非接続信号、ならびにＰＬＣルータコンセントおよびＰＬＣ対応人感センサのＩＰアドレスが含まれる。検知信号は、ＰＬＣ対応人感センサが、人間の動きを検知した場合に、ＰＬＣルータコンセントおよび電力線を介して情報受信部２０１’に送信される信号である。接続信号は、ＰＬＣ対応人感センサがＰＬＣルータコンセントに接続された場合に、ＰＬＣルータコンセントが電力線を経由して情報受信部２０１’に送信する信号である。非接続信号は、ＰＬＣ対応人感センサがＰＬＣルータコンセントから取り外された場合に、ＰＬＣルータコンセントが電力線を経由して情報受信部２０１’に送信する信号である。ＰＬＣルータコンセントのＩＰアドレスは、ＰＬＣルータコンセント固有のＩＰアドレスであり、ＰＬＣルータコンセントにより電力線を介して情報受信部２０１’に送信される。ＰＬＣ対応人感センサのＩＰアドレスは、ＰＬＣ対応人感センサがＰＬＣルータコンセントに接続されたときに動的に割り振られるＩＰアドレスであり、ＰＬＣルータコンセントにより電力線を介して情報受信部２０１’に送信される。
【００４３】
制御部２０２’は、監視サーバ２０’全体の動作を制御する手段であり、以降に詳細に説明する動作を実現するプログラム（図示せず）で動作する。メール送信部２０３’は、インターネットを介して、利用者の端末に非常事態を通知する電子メールやメッセージ等を送信するプログラムモジュールである。
【００４４】
人感センサ管理データベース２０４’は、ＰＬＣルータコンセントに接続されるＰＬＣ対応人感センサの情報を管理するデータベースであり、監視サーバ２０’内の固定ディスク（ＨＤＤ）などに格納されている。人感センサ管理データベース２０４’は、ＩＰアドレスにより識別可能なＰＬＣルータコンセントごとに、少なくともＰＬＣルータコンセントの設置位置と、ＰＬＣ対応人感センサのＩＰアドレスとが登録される。このＰＬＣルータコンセントの設置位置には、例えば玄関口、寝室入り口、リビング入り口など、建物に設置される各ＰＬＣルータコンセントの設置位置が、管理者により事前に登録される。ＰＬＣ対応人感センサのＩＰアドレスには、ＰＬＣルータコンセント毎に接続しているＰＬＣ対応人感センサのＩＰアドレスが登録される。ＰＬＣ対応人感センサのＩＰアドレスは、監視サーバ２０’が接続信号を受信した場合に登録され、監視サーバ２０’が非接続信号を受信した場合に削除される。
【００４５】
ＰＬＣ対応人感センサがＰＬＣルータコンセントに接続された場合、当該人感センサが接続されたＰＬＣルータコンセントは、接続検知部により接続を検知し、当該人感センサにＤＨＣＰサーバによりＩＰアドレスを割り当てる。ＰＬＣルータコンセントは、この人感センサのＩＰアドレスと、ＰＬＣルータコンセントのＩＰアドレスと、接続信号とを送信部より監視サーバ２０’に送信する。監視サーバ２０’は、人感センサが接続されたＰＬＣルータコンセントをＰＬＣルータコンセントＩＰアドレスから割り出し、データベース２０４の該当するレコードに当該人感センサのＩＰアドレスを登録する。
【００４６】
ＰＬＣ対応人感センサがＰＬＣルータコンセントから取り外された場合、当該人感センサが接続されたＰＬＣルータコンセントは、接続検知部により取り外されたことを検知し、ＤＨＣＰサーバにより当該人感センサのＩＰアドレスを回収する。ＰＬＣルータコンセントは、送信部により、この人感センサのＩＰアドレスと、ＰＬＣルータコンセントのＩＰアドレスと、非接続信号とを監視サーバ２０’に送信する。監視サーバ２０’は、人感センサが取り外されたＰＬＣルータコンセントをＰＬＣルータコンセントＩＰアドレスから割り出し、人感センサ管理データベース２０４’の該当するレコードから当該人感センサのＩＰアドレスを削除する。
【００４７】
利用者データベース２０５’は、本実施例のシステムを利用する利用者の情報が保存されるデータベースであり、監視サーバ２０内の固定ディスク（ＨＤＤ）などに格納されている。利用者データベース２０５’は、非常事態が発生した場合に通知する利用者の端末のメールアドレス等が事前に登録される。
【００４８】
検知情報ログ２０６’は、人感センサの検知情報を保存するログであり、監視サーバ２０内の固定ディスク（ＨＤＤ）などに格納されている。検知情報ログ２０６’は、少なくとも、人感センサすなわちこれが接続されたルータコンセント１０の設置位置情報と、日付、曜日、および時間からなる時刻情報とが保存される。
【００４９】
次に、図７を参照しながら、この見守りシステムの動作を説明する。ＰＬＣ対応人感センサは、人間の動作を検知した場合、ＰＬＣルータコンセントおよび電力線を介して、監視サーバ２０’に検知信号を送信する（ステップＢ１）。監視サーバ２０’は、ＰＬＣルータコンセントから割り込まれる検知信号を受信すると、後述する保存されている標準行動パターン情報と、少なくとも、検知情報の有無、前回検知したときの時刻情報および設置位置情報、ならびに現在の時刻情報等のパラメータとを用いて比較処理を行う（ステップＢ２）。比較処理の結果、受信した情報が標準化された行動パターンと異なる場合（異常）、監視サーバ２０’は、利用者データベース２０５’に登録されている利用者の端末のアドレスに、その旨の情報を通知するといった所定の動作を行う（ステップＢ３）。これにより、例えば、洗面所の入り口のＰＬＣ対応人感センサが人間の動きを検知してから６０分以上経過したにも関わらず、建物内のいずれのＰＬＣ対応人感センサも人間の動きを検知しない場合、監視サーバ２０’は、標準行動と異なるものと判断し、利用者端末にその旨情報を送信する。これは、通常洗面所に６０分以上留まることはあまりなく、高齢者が洗面所内で倒れている恐れがあるため、非常事態が発生したものとして利用者端末にその旨通知するものである。
【００５０】
比較処置の後、監視サーバ２０’は、検知情報ログ２０６’に人感センサの検知情報を保存する（ステップＢ４）。この保存処理では、データベース２０４’を参照して受信した人感センサのＩＰアドレスから導き出される人感センサの設置位置情報と、日付、曜日、および時間からなる時刻情報とを保存する。保存処理の後、初期の処理に戻ることにより（ステップＢ５）処理がループし、監視サーバ２０’は、常時監視を行い、人感センサによる割り込みを適宜受け付けることができる。
【００５１】
次に、本実施例の人間の日常行動を把握する手段について説明する。監視サーバ２０’は、ＰＬＣ対応人感センサが検知する人間の生活における一連の行動を、日常行動として把握し新規の条件として記録することができる。例えば、起床後、寝室を出て洗面所に行き、それから洗面等を済ませてからリビングに行き、一息つくといった一連の行動は、次のように、人感センサにより検知される。まず、起床後、寝室を出て洗面所に行く行動は、順に、寝室入り口の人感センサ、リビングの入り口の人感センサ、リビングの人感センサ、ダイニング入り口の人感センサ、および洗面所入り口の人感センサが検知する。洗面所で洗面等をした後、リビングに行って一息つく行動は、順に、洗面所入り口の人感センサ、ダイニング入り口の人感センサ、およびリビングの人感センサが検知する。ＰＬＣルータコンセントは、これらの人感センサが人間の動作を検知する度に、検知信号、人感センサのＩＰアドレス、およびＰＬＣルータコンセントのＩＰアドレスを監視サーバ２０’に送信する。監視サーバ２０’は、前記各ＰＬＣ人感センサによる検出の位置や日時を検知情報ログ２０６’に記録し、定期的に前記ログを参照して、所定の期間内に（すなわち、所定の時間間隔で）１以上の前記ＰＬＣ人感センサが特定の順番で所定回数（例えば１０回）検出されている場合にその情報を日常行動として把握し新規の条件として記録する。
【００５２】
本発明の好適な実施例を示し説明したが、本発明の目的または特徴から逸脱しない範囲で様々な変更を加えることができると理解されるべきである。特に、本実施例では、非常事態が発生した場合の所定の動作として、利用者の端末にメールを送信するとあるが、その他、所定の位置に設けられた非常ベルを動作させ、または所定の位置に設けられた音声メッセージ装置を再生させるなど他の動作をさせてもよい。
【産業上の利用可能性】
【００５３】
本発明は、企業や各種団体、学校等における情報端末管理作業に好適に用いることができる。また、本発明は、独り暮らしの高齢者のいる家庭または高齢者の介護サービスに好適に用いることができる。
【図面の簡単な説明】
【００５４】
【図１】本発明にかかるＰＬＣ対応インテリジェントコンセントを使用したシステムの全体構成を示す概略図である。
【図２】本発明にかかるＰＬＣルータコンセント１０の機能概念を示す図である。
【図３】本実施例にかかる監視サーバ２０の概略構成を示す図である。
【図４】パケット洪水が発生した場合の本実施例にかかるシステムの動作を示すフロー図である。
【図５】本発明にかかるシステムを独り暮らしの高齢者の生活見守りに応用した例を示す図である。
【図６】本実施例にかかる監視サーバ２０’の概略構成を示す図である。
【図７】本実施例にかかる見守りシステムの動作を示すフロー図である。
【符号の説明】
【００５５】
１０  ＰＬＣルータコンセント
２０  監視サーバ
３０  インターネット接続用ＰＬＣモデム
４０  ＰＬＣ情報端末
５０  ＰＬＣ対応人感センサ
１００  電力線
２０’監視サーバ
３０’インターネット接続用ＰＬＣモデム
【図１】
2008227561.tif 000003
【図２】
2008227561.tif 000004
【図３】
2008227561.tif 000005
【図４】
2008227561.tif 000006
【図５】
2008227561.tif 000007
【図６】
2008227561.tif 000008
【図７】
2008227561.tif 000009